(57)【特許請求の範囲】
【請求項１】
テープに印刷されるキャラクター画像の向きが、前記キャラクター画像の縦方向がテープの幅方向に沿った横書き向きと、前記キャラクター画像の縦方向が前記テープの長さ方向に沿った縦書き向きと、の間で切り替わるように、前記キャラクター画像を時計回りおよび反時計回りの少なくとも一方に回転させる縦横変換処理を実行可能な縦横変換部と、
前記キャラクター画像を前記テープに印刷する印刷部と、
前記キャラクター画像であるアナログ式時計画像を構成する針画像に表示させる時刻を取得する時刻取得部と、
時刻に応じて角度の異なる複数の前記針画像のうちの一部である基本針画像を記憶した針画像記憶部と、を備え、
前記縦横変換部は、前記時刻取得部によって取得された取得時刻を表示する前記針画像が、前記基本針画像に含まれない場合に、前記基本針画像に対して前記縦横変換処理を実行することによって、前記取得時刻を表示する前記針画像を作成することを特徴とするテープ印刷装置。
【請求項２】
前記アナログ式時計画像を構成する複数のフェイス画像を記憶したフェイス画像記憶部と、
前記複数のフェイス画像のなかから、前記針画像と共に印刷される前記フェイス画像を選択するフェイス画像選択部と、
選択された前記フェイス画像と、前記針画像と、を合成して、前記アナログ式時計画像を作成する画像合成部と、
をさらに備えたことを特徴とする請求項１に記載のテープ印刷装置。
【請求項３】
前記針画像記憶部は、針が表示ドットで表された前記基本針画像と、針が無表示ドットで表された前記基本針画像と、のいずれか一方を記憶し、
前記フェイス画像記憶部は、針の回転範囲が表示ドットで表された前記フェイス画像記憶部と、針の回転範囲が無表示ドットで表された前記フェイス画像記憶部と、を記憶し、
前記画像合成部は、選択された前記フェイス画像記憶部の針の回転範囲が表示ドットで表されている場合、前記アナログ式時計画像において針が無表示ドットで表されるように、前記フェイス画像と前記針画像とを合成し、選択された前記フェイス画像記憶部の針の回転範囲が無表示ドットで表されている場合、前記アナログ式時計画像において針が表示ドットで表されるように、前記フェイス画像と前記針画像とを合成することを特徴とする請求項２に記載のテープ印刷装置。
【請求項４】
前記針画像記憶部は、針の回転中心が所定位置に設けられた前記基本針画像を記憶し、
前記フェイス画像記憶部は、針の回転範囲が、前記所定位置に対応した位置に設けられた前記フェイス画像と、針の回転範囲が、前記所定位置に対応した位置からシフトされた位置に設けられた前記フェイス画像と、記憶し、
前記画像合成部は、選択された前記フェイス画像記憶部の針の回転範囲が、前記所定位置に対応した位置からシフトされた位置に設けられている場合、前記針画像をシフト処理し、前記フェイス画像と、シフト処理された前記針画像と、を合成することを特徴とする請求項２または３に記載のテープ印刷装置。
【請求項５】
前記フェイス画像記憶部が記憶する前記複数のフェイス画像には、ユーザーの行動予定を意味する前記フェイス画像が含まれることを特徴とする請求項２ないし４のいずれか一項に記載のテープ印刷装置。
【発明の詳細な説明】
【技術分野】
【０００１】
本発明は、キャラクター画像をテープに印刷するテープ印刷装置に関するものである。
【背景技術】
【０００２】
従来、顔画像を作成する顔画像作成装置であって、パーツ画面ＲＯＭには、左目のパーツパターンおよび右目のパーツパターンのうち左目のパーツパターンのみを記憶させておき、右目のパーツパターンについては、左目のパーツパターンを反転させて作成することにより、パーツ画面ＲＯＭの記憶容量を半分で済ませるようにしたものが知られている（特許文献１参照）。
【先行技術文献】
【特許文献】
【０００３】
【特許文献１】特開平６−３４８７０６号公報
【発明の概要】
【発明が解決しようとする課題】
【０００４】
本発明者は、以下の課題を見出した。
テープ印刷装置において、アナログ式時計画像をテープに印刷する場合、記憶部の記憶容量を節約すべく、記憶部には、時刻に応じて角度の異なる複数の針画像のうちの一部の針画像を表す基本針画像のみを記憶しておき、基本針画像を回転させる画像処理を行うことにより、残りの針画像を作成することが考えられる。しかしながら、テープ印刷装置が、このような回転処理のための専用の画像処理部を備えたのでは、製品コスト高となる。そのため、針画像の回転処理のための専用の画像処理部を備えることなく、針画像記憶部の記憶容量を節約することが求められる。
【０００５】
本発明は、針画像の回転処理のための専用の画像処理部を備えることなく、針画像記憶部の記憶容量を節約することができるテープ印刷装置を提供することを課題としている。
【課題を解決するための手段】
【０００６】
本発明のテープ印刷装置は、テープに印刷されるキャラクター画像の向きが、キャラクター画像の縦方向がテープの幅方向に沿った横書き向きと、キャラクター画像の縦方向がテープの長さ方向に沿った縦書き向きと、の間で切り替わるように、キャラクター画像を時計回りおよび反時計回りの少なくとも一方に回転させる縦横変換処理を実行可能な縦横変換部と、キャラクター画像をテープに印刷する印刷部と、キャラクター画像であるアナログ式時計画像を構成する針画像に表示させる時刻を取得する時刻取得部と、時刻に応じて角度の異なる複数の針画像のうちの一部である基本針画像を記憶した針画像記憶部と、を備え、縦横変換部は、時刻取得部によって取得された取得時刻を表示する針画像が、基本針画像に含まれない場合に、基本針画像に対して縦横変換処理を実行することによって、取得時刻を表示する針画像を作成することを特徴とする。
【０００７】
この構成によれば、テープ印刷装置は、角度が異なる複数の針画像のうちの一部である基本針画像のみ針画像記憶部に記憶している。そして、テープ印刷装置は、キャラクター画像の縦方向を横書き向きと縦書き向きとで切り替えるための縦横変換部を利用して基本針画像を回転させることにより、基本針画像とは異なる角度の針画像を作成することができる。したがって、テープ印刷装置は、針画像の回転処理のための専用の画像処理部を備えることなく、針画像記憶部の記憶容量を節約することができる。
【０００８】
この場合、アナログ式時計画像を構成する複数のフェイス画像を記憶したフェイス画像記憶部と、複数のフェイス画像のなかから、針画像と共に印刷されるフェイス画像を選択するフェイス画像選択部と、選択されたフェイス画像と、針画像と、を合成して、アナログ式時計画像を作成する画像合成部と、をさらに備えたことが好ましい。
【０００９】
この構成によれば、テープ印刷装置は、複数のフェイス画像のなかから選択されたフェイス画像と、針画像とを組み合わせたアナログ式時計画像をテープに印刷することができる。
【００１０】
この場合、針画像記憶部は、針が表示ドットで表された基本針画像と、針が無表示ドットで表された基本針画像と、のいずれか一方を記憶し、フェイス画像記憶部は、針の回転範囲が表示ドットで表されたフェイス画像記憶部と、針の回転範囲が無表示ドットで表されたフェイス画像記憶部と、を記憶し、画像合成部は、選択されたフェイス画像記憶部の針の回転範囲が表示ドットで表されている場合、アナログ式時計画像において針が無表示ドットで表されるように、フェイス画像と針画像とを合成し、選択されたフェイス画像記憶部の針の回転範囲が無表示ドットで表されている場合、アナログ式時計画像において針が表示ドットで表されるように、フェイス画像と針画像とを合成することが好ましい。
【００１１】
この構成によれば、テープ印刷装置は、針が表示ドットで表された基本針画像と、針が無表示ドットで表された基本針画像とのいずれか一方のみを針画像記憶部に記憶している。そして、テープ印刷装置は、選択されたフェイス画像における針の回転範囲が、表示ドットで表されているか無表示ドットで表されているかに応じて、針が無表示ドットで表されたアナログ式時計画像と、針が表示ドットで表されたアナログ式時計画像とを印刷することができる。したがって、テープ印刷装置は、針画像記憶部の記憶容量を節約しつつ、針の色と針の回転範囲の色との組合せのバリエーションを増やすことができる。
【００１２】
この場合、針画像記憶部は、針の回転中心が所定位置に設けられた基本針画像を記憶し、フェイス画像記憶部は、針の回転範囲が、所定位置に対応した位置に設けられたフェイス画像と、針の回転範囲が、所定位置に対応した位置からシフトされた位置に設けられたフェイス画像と、記憶し、画像合成部は、選択されたフェイス画像記憶部の針の回転範囲が、所定位置に対応した位置からシフトされた位置に設けられている場合、針画像をシフト処理し、フェイス画像と、シフト処理された針画像と、を合成することが好ましい。
【００１３】
この構成によれば、テープ印刷装置は、針の回転中心が所定位置に設けられた基本針画像のみを針画像記憶部に記憶している。そして、テープ印刷装置は、選択されたフェイス画像における針の回転範囲が、所定位置に対応した位置にあるかシフトされた位置にあるかに応じて、針の回転中心が所定位置に設けられたアナログ式時計画像と、針の回転中心が所定位置からシフトされた位置に設けられたアナログ式時計画像とを印刷することができる。したがって、テープ印刷装置は、針画像記憶部の記憶容量を節約しつつ、針の回転中心および針の回転範囲の位置のバリエーションを増やすことができる。
【００１４】
この場合、フェイス画像記憶部が記憶する複数のフェイス画像には、ユーザーの行動予定を意味するフェイス画像が含まれることが好ましい。
【００１５】
この構成によれば、テープ印刷装置は、ユーザーの行動予定と、その行動予定の時刻との双方を意味するアナログ式時計画像を印刷することができる。これにより、ユーザーは、アナログ式時計画像を見るだけで、自分の行動予定と、その行動予定の時刻との双方を認識することができる。
【図面の簡単な説明】
【００１６】
【図１】本発明の一実施形態に係るテープ印刷装置を表側から見た斜視図である。
【図２】テープ印刷装置を裏側から見た斜視図である。
【図３】テープ印刷装置の蓋体を外した状態の斜視図である。
【図４】（ａ）はキャラクター画像の横書き向きを示す図、（ｂ）はキャラクター画像の縦書き向きを示す図である。
【図５】（ａ）はテープ印刷装置のハードウェア構成例を示す図であり、（ｂ）はテープ印刷装置の機能構成例を示す図である。
【図６】針画像記憶部に記憶されている基本針画像について説明するための図である。
【図７】フェイス画像記憶部に記憶されているフェイス画像について説明するための図である。
【図８】縦横変換処理により基本針画像を回転させることを説明するための図である。
【図９】テープ印刷装置の時計画像印刷メニューにおける一連の処理を示すフローチャートである。
【図１０】図９に続くフローチャートである。
【図１１】時計画像印刷メニューにおける画面遷移を示す図である。
【図１２】アナログ式時計画像の作成処理を説明するための図である。
【発明を実施するための形態】
【００１７】
以下、添付の図面を参照しながら、本発明の一実施形態に係るテープ印刷装置について説明する。
【００１８】
図１ないし図３に示すように、テープ印刷装置１は、装置ケース２と、蓋体３と、プラテンローラー４と、印刷ヘッド５とを備えている。
【００１９】
装置ケース２は、テープ印刷装置１の外殻を形成している。装置ケース２の表側には、キーボード８と、ディスプレイ９とが設けられている。キーボード８は、ユーザーによる入力操作を受け付ける。キーボード８には、文字・記号を入力するための文字キー、カーソル移動や選択肢切替えのためのカーソルキー、選択肢決定のための選択キー、印刷実行のための印刷キー、キャラクター画像Ｄ（図４参照）の向きを、横書き向きと縦書き向きとで切り替えるための縦横キーなどが設けられている。ディスプレイ９は、キーボード８による入力結果等を表示する。ユーザーは、ディスプレイ９に表示された入力結果を確認しながら、キーボード８から印刷したい文字、記号などを入力する。
【００２０】
装置ケース２の裏側には、ロール装着部１１と、電池収容部１２と、送り経路１３とが設けられている。さらに、装置ケース２の側面には、テープ排出口１４が設けられている。
【００２１】
ロール装着部１１には、小巻のテープロールＲが装着される。テープロールＲは、軸心に所定の大きさの孔を形成するように、長尺のテープＴをロール状に巻き締めて構成されている。テープＴは、テープ本体と、剥離テープとを有する。テープ本体は、感熱紙で構成されている。テープＴは、いわゆるマスキングテープであって、テープ本体表面の色や柄の異なる複数種のものが用意されている。
【００２２】
送り経路１３は、ロール装着部１１とテープ排出口１４との間に設けられている。ロール装着部１１から繰り出されたテープＴが、送り経路１３を通って、テープ排出口１４から装置外へと排出される。なお、ユーザーは、テープ排出口１４から排出されたテープＴの印刷済み部分を、ハサミ等を用いて切断する。もちろん、テープ印刷装置１が、テープＴを切断するカッターを備えていてもよい。
【００２３】
蓋体３は、装置ケース２の裏側に設けられている。蓋体３は、ロール装着部１１、電池収容部１２および送り経路１３を開閉する。ユーザーは、テープロールＲの装着時や、電池の交換時等に、蓋体３を開閉する。
【００２４】
プラテンローラー４は、送りモーター１５を駆動源として回転する。プラテンローラー４は、印刷ヘッド５との間で挟持したテープＴを回転送りする。印刷ヘッド５は、テープＴに対して、キャラクター画像Ｄを印刷する。印刷ヘッド５は、プラテンローラー４に対して、送り経路１３を挟んで対峙するように設けられている。印刷ヘッド５は、サーマルタイプのものである。印刷ヘッド５が発熱駆動することにより、送り経路１３を送られていくテープＴに対して、キャラクター画像Ｄが印刷される。キャラクター画像Ｄは、ビットマップフォントとして表される。なお、キャラクター画像Ｄとは、文字、記号、図形および絵文字などのキャラクターの画像を意味し、後述するアナログ式時計画像Ａ（図１２参照）を含む概念である。
【００２５】
アナログ式時計画像Ａは、アナログ式時計の短針の画像である短針画像Ｂ１と、長針の画像である長針画像Ｂ２と、アナログ式時計のフェイス（時計枠）の画像であるフェイス画像Ｃとを含む（図１２参照）。詳細は後述するが、テープ印刷装置１は、時計画像印刷メニューにおいて、ユーザーから入力された時刻を表す短針画像Ｂ１および長針画像Ｂ２を印刷する。テープ印刷装置１は、入力された時刻に応じて、６度ずつ角度が異なる６０種の短針画像Ｂ１と、６度ずつ角度が異なる６０種の長針画像Ｂ２とを印刷することができる。
【００２６】
図４に示すように、テープ印刷装置１は、縦横キーが押されるたびに、キャラクター画像Ｄの向きを、横書き向きと縦書き向きとで切り替える。横書き向きとは、図４（ａ）に示すように、キャラクター画像Ｄの縦方向Ｅが、テープＴの幅方向に沿った向きをいう。縦書き向きとは、図４（ｂ）に示すように、キャラクター画像Ｄの縦方向Ｅが、テープＴの長さ方向に沿った向きをいう。
【００２７】
テープ印刷装置１は、キャラクター画像Ｄを、横書き向きとして保存している。そして、テープ印刷装置１は、横書き向きの状態で縦横キーが押されると、キャラクター画像Ｄを反時計回りに９０度回転させる縦横変換処理を行って、縦書き向きにする。また、テープ印刷装置１は、縦書き向きの状態で縦横キーが押されると、縦横変換処理をキャンセルして、横書き向きに戻す。
なお、テープ印刷装置１は、詳細は後述するように、時計画像印刷メニューにおいては、縦横キーによらずに縦横変換処理を実行する。
【００２８】
図５（ａ）を参照して、テープ印刷装置１のハードウェア構成例について説明する。テープ印刷装置１は、上記の印刷ヘッド５、キーボード８、ディスプレイ９および送りモーター１５に加え、コントローラー２０を備えている。
【００２９】
コントローラー２０は、図示しないＣＰＵ（Central Processing Unit）、ＲＯＭ（Read Only Memory）、ＲＡＭ（Random Access Memory）などにより構成される。コントローラー２０のＣＰＵは、ＲＯＭからプログラムをロードしてＲＡＭを用いて実行し、テープ印刷装置１の全体の動作を制御する。
【００３０】
図５（ｂ）を参照して、テープ印刷装置１の機能構成例について説明する。図５（ｂ）に示す機能部のうちの少なくとも一部は、図５（ａ）のコントローラー２０により所定のプログラムが実行されることによって実現される。
【００３１】
テープ印刷装置１は、針画像記憶部２１と、フェイス画像記憶部２２と、時刻取得部２３と、フェイス画像選択部２４と、画像読出部２５と、縦横変換部２６と、画像合成部２７とを備えている。
【００３２】
図６に示すように、針画像記憶部２１は、上述したように角度が異なる６０種の短針画像Ｂ１のうち、針角度が０度〜８４度となる１５種の基本短針画像Ｂｂ１を記憶している。つまり、針画像記憶部２１は、０時０分〜２時５９分を表す１５種の基本短針画像Ｂｂ１を記憶している。また、針画像記憶部２１は、角度が異なる６０種の長針画像Ｂ２のうち、針角度が０度〜８４度となる１５種の基本長針画像Ｂｂ２を記憶している。つまり、針画像記憶部２１は、０分〜１４分を表す１５種の基本長針画像Ｂｂ２を記憶している。基本短針画像Ｂｂ１と基本長針画像Ｂｂ２とを区別する必要がない場合には、単に基本針画像Ｂｂという。なお、針角度とは、０時０分の位置を０度とした場合に時計回りに為す角度を意味する。
【００３３】
針画像記憶部２１が記憶している基本針画像Ｂｂは、いずれも、針が表示ドットで表され、針以外の部分が無表示ドットで表される。また、針画像記憶部２１が記憶している基本針画像Ｂｂは、いずれも、針の回転中心が中央に設けられている。基本針画像Ｂｂのフォントサイズは、例えば４８ドット×４８ドットである。なお、針画像記憶部２１は、各針角度について、「直線」および「矢印」の２種のデザインを記憶している。つまり、針画像記憶部２１は、１５×２＝３０種の基本短針画像Ｂｂ１と、１５×２＝３０種の基本長針画像Ｂｂ２とを記憶している。
【００３４】
図７に示すように、フェイス画像記憶部２２は、１０種のフェイス画像Ｃを記憶している。１０種のフェイス画像Ｃのなかには、Ｎｏ．５の「ショッピング」、Ｎｏ．７の「ティータイム」のように、ユーザーの行動予定を示すものが含まれている。フェイス画像Ｃのフォントサイズは、基本針画像Ｂｂのフォントサイズと等しく、例えば４８ドット×４８ドットである。
【００３５】
フェイス画像記憶部２２は、各フェイス画像Ｃを、針色と関連付けて記憶している。すなわち、フェイス画像記憶部２２は、針の回転範囲Ｆ（図１２参照）が無表示ドットで表されたフェイス画像Ｃ（Ｎｏ．１，３，５，７，９）については、針色を「表示型」として記憶している。また、フェイス画像記憶部２２は、針の回転範囲Ｆが表示ドットで表されたフェイス画像Ｃ（Ｎｏ．２，４，６，８，１０）については、針色を「無表示型」として記憶している。
【００３６】
フェイス画像記憶部２２は、各フェイス画像Ｃを、針位置と関連付けて記憶している。すなわち、フェイス画像記憶部２２は、針の回転範囲Ｆが、基本針画像Ｂｂにおいて針の回転中心が設けられた位置に対応した位置、つまり中央に設けられたフェイス画像Ｃ（Ｎｏ．１，２，６，８）については、針位置を「中型」として記憶している。また、フェイス画像記憶部２２は、針の回転範囲Ｆが、中央から下方に、所定距離分（例えば９ドット分）、シフトされた位置に設けられたフェイス画像Ｃ（Ｎｏ．３，４，５，７，９，１０）については、針位置を「下型」として記憶している。
なお、図７では、各フェイス画像Ｃにおける針の回転範囲Ｆを、２点鎖線により仮想的に示している。
【００３７】
さらに、フェイス画像記憶部２２は、各フェイス画像Ｃを、針のデザインと関連付けて記憶している。すなわち、フェイス画像記憶部２２は、Ｎｏ．１，２，６，７，８，９のフェイス画像Ｃについては、針のデザインを「直線」として記憶している。また、フェイス画像記憶部２２は、Ｎｏ．３，４，５，１０のフェイス画像Ｃについては、針のデザインを「矢印」として記憶している。
【００３８】
時刻取得部２３は、短針画像Ｂ１および長針画像Ｂ２に表示させる時刻をユーザーに入力させるための時刻入力画面Ｈを、ディスプレイ９に表示する。時刻取得部２３は、時刻入力画面Ｈにおいて、キーボード８が受け付けた時刻の入力操作に基づいて、短針画像Ｂ１および長針画像Ｂ２に表示させる時刻を取得する。なお、時刻入力画面Ｈでは、午前午後に関係なく、１２時間表示で時刻が入力される。
【００３９】
フェイス画像選択部２４は、フェイス画像Ｃをユーザーに選択させるためのフェイス画像選択画面Ｇを、ディスプレイ９に表示する。フェイス画像選択部２４は、フェイス画像選択画面Ｇにおいて、キーボード８が受け付けたフェイス画像Ｃの選択操作に基づいて、フェイス画像Ｃを選択する。
【００４０】
画像読出部２５は、フェイス画像記憶部２２に記憶されている１０種のフェイス画像Ｃのなかから、フェイス画像選択部２４が選択したフェイス画像Ｃを読み出す。
【００４１】
また、画像読出部２５は、針画像記憶部２１に記憶されている基本針画像Ｂｂのなかから、時刻取得部２３が取得した取得時刻に対応した針角度で、且つ、選択されたフェイス画像Ｃと関連付けられたデザインの基本針画像Ｂｂを読み出す。ここで、針画像記憶部２１には、上述したように、長針画像Ｂ２については、印刷可能な６０種のうち、１５種の針角度の基本長針画像Ｂｂ２しか記憶されていない。そのため、画像読出部２５は、取得時刻を表示する長針画像Ｂ２が基本長針画像Ｂｂ２のなかにある場合には、取得時刻を表示する基本長針画像Ｂｂ２を読み出す。一方、画像読出部２５は、取得時刻を表示する長針画像Ｂ２が基本長針画像Ｂｂ２に含まれない場合は、基本長針画像Ｂｂ２が縦横変換処理により９０度、１８０度または２７０度回転されることで、取得時刻を表示する長針画像Ｂ２となる基本長針画像Ｂｂ２を読み出す。例えば、画像読出部２５は、取得時刻の分が１分である場合だけでなく、取得時刻の分が１６分、３１分および４６分の場合にも、針角度が６度の基本長針画像Ｂｂ２を読み出す（図８参照）。短針画像Ｂ１についても同様である。
【００４２】
換言すれば、画像読出部２５は、取得時刻がｈ時ｍ分である場合、針角度がｐ度である基本短針画像Ｂｂ１を読み出す。ここで、ｐは、（１）式で与えられる。
ｐ＝６×ａ      （１）
ただし、ａは、（６０×ｈ）＋ｍを１８０で割ったときの余りをｃとしたときに、ｃを１２で割った時の商である（ａは整数）。
また、画像読出部２５は、取得時刻がｈ時ｍ分である場合、針角度がｑ度である基本長針画像Ｂｂ２を読み出す。ここで、ｑは、（２）式で与えられる。
ｑ＝６×ｂ      （２）
ただし、ｂは、ｍを１５で割ったときの余りである。
【００４３】
縦横変換部２６は、取得時刻を表示する長針画像Ｂ２が基本長針画像Ｂｂ２に含まれない場合は、基本長針画像Ｂｂ２に対して縦横変換処理を１回〜３回行うことで、基本長針画像Ｂｂ２を、反時計回りに９０度、１８０度または２７０度回転させる。これにより、テープ印刷装置１は、計６０種の針角度の長針画像Ｂ２を作成することができる。すなわち、テープ印刷装置１は、１５種の針角度の基本長針画像Ｂｂ２をそれぞれ反時計回りに９０度回転させることにより、１５種の針角度（２７０度〜３５４度）の長針画像Ｂ２を作成することができる。また、テープ印刷装置１は、１５種の針角度の基本長針画像Ｂｂ２をそれぞれ反時計回りに１８０度回転させることにより、１５種の針角度（１８０度〜２６４度）の長針画像Ｂ２を作成することができる。さらに、テープ印刷装置１は、１５種の針角度の基本長針画像Ｂｂ２をそれぞれ反時計回りに２７０度回転させることにより、１５種の針角度（９０度〜１７４度）の長針画像Ｂ２を作成することができる。短針画像Ｂ１についても同様である。
【００４４】
図８を用いてより具体的に説明すると、縦横変換部２６は、例えば、取得時刻の分が４６分の場合は、針角度が６度で１分を表示する基本長針画像Ｂｂ２（図８（ａ）参照）について、縦横変換処理を１回行って反時計回りに９０度回転させることにより、針角度が２７６度で４６分を表示する長針画像Ｂ２（図８（ｂ）参照）を作成する。また、縦横変換部２６は、取得時刻の分が３１分の場合は、針角度が６度で１分を表示する基本長針画像Ｂｂ２について、縦横変換処理を２回行って反時計回りに１８０度回転させることにより、針角度が１８６度で３１分を表示する長針画像Ｂ２（図８（ｃ）参照）を作成する。さらに、縦横変換部２６は、取得時刻の分が１６分の場合は、針角度が６度で１分を表示する基本長針画像Ｂｂ２について、縦横変換処理を３回行って反時計回りに２７０度回転させることにより、針角度が９６度で１６分を表す長針画像Ｂ２（図８（ｄ）参照）を作成する。
【００４５】
縦横変換部２６は、取得時刻に基づいて、基本針画像Ｂｂに対して縦横変換処理を行う必要があるか否かを判断する。縦横変換部２６は、基本短針画像Ｂｂ１については、取得時刻が０時０分〜２時５９分である場合は、縦横変換処理を行う必要がないと判断する。一方、縦横変換部２６は、取得時刻が３時０分〜１１時５９分である場合は、縦横変換処理を行う必要があると判断する。そして、縦横変換部２６は、取得時刻が３時０分〜５時５９分である場合は、縦横変換処理を３回行い、取得時刻が６時０分から８時５９分である場合は、縦横変換処理を２回行い、取得時刻が９時０分〜１１時５９分である場合は、縦横変換処理を１回行う。
【００４６】
同様に、縦横変換部２６は、基本長針画像Ｂｂ２については、取得時刻の分が０分〜１４分である場合は、縦横変換処理を行う必要がないと判断する。一方、縦横変換部２６は、取得時刻の分が１５分〜５９分である場合は、縦横変換処理を行う必要があると判断する。そして、縦横変換部２６は、取得時刻の分が１５分〜２９分である場合は、縦横変換処理を３回行い、取得時刻の分が３０分〜４４分である場合は、縦横変換処理を２回行い、取得時刻の分が４５分〜５９分である場合は、縦横変換処理を１回行う。
【００４７】
画像合成部２７は、短針画像Ｂ１と、長針画像Ｂ２と、フェイス画像Ｃとを合成し、アナログ式時計画像Ａを作成する。画像合成の具体的手順については後述する。
【００４８】
図５を参照しつつ、図９および図１０を用いて、テープ印刷装置１が時計画像印刷メニューにおいて行う一連の処理について説明する。時計画像印刷メニューが開始されると、まず、フェイス画像選択部２４が、フェイス画像選択画面Ｇ（図１１参照）をディスプレイ９に表示する（Ｓ１）。フェイス画像選択画面Ｇにおいてキーボード８からフェイス画像Ｃの選択操作が為されると（Ｓ２；Ｙｅｓ）、その選択操作に基づいて、フェイス画像選択部２４がフェイス画像Ｃを選択する。
【００４９】
続いて、時刻取得部２３が、時刻入力画面Ｈをディスプレイ９に表示する（Ｓ３）。時刻入力画面Ｈにおいてキーボード８から時刻の入力操作が為されると（Ｓ３；Ｙｅｓ）、その入力操作に基づいて、時刻取得部２３が、短針画像Ｂ１および長針画像Ｂ２に表示させる時刻を取得する。
【００５０】
続いて、画像読出部２５は、選択されたフェイス画像Ｃをフェイス画像記憶部２２から読み出す（Ｓ５）。続いて、画像読出部２５は、取得時刻に対応し、且つ、選択されたフェイス画像Ｃと関連付けられたデザインの基本短針画像Ｂｂ１および基本長針画像Ｂｂ２を、針画像記憶部２１から読み出す（Ｓ６）。
【００５１】
続いて、縦横変換部２６は、取得時刻に基づいて、基本短針画像Ｂｂ１について、縦横変換処理を行う必要があるか否かを判断する（Ｓ７）。縦横変換部２６は、縦横変換処理を行う必要があると判断した場合（Ｓ７；Ｙｅｓ）、基本短針画像Ｂｂ１について縦横変換処理を行う（Ｓ８）。縦横変換処理の実行回数が規定回数に達していない場合（Ｓ９；Ｎｏ）、縦横変換部２６は、縦横変換処理を再度行う（Ｓ８）。縦横変換処理の実行回数が規定回数に達した場合（Ｓ９；Ｙｅｓ）、ステップ１０に進む。一方、縦横変換部２６は、縦横変換処理を行う必要がないと判断した場合（Ｓ７；Ｎｏ）、ステップ１０に進む。このように、縦横変換部２６が、基本短針画像Ｂｂ１に対して、必要に応じて縦横変換処理を実行することにより、取得時刻を表示する短針画像Ｂ１が得られる。
【００５２】
ステップ１０では、縦横変換部２６は、取得時刻の分に基づいて、基本長針画像Ｂｂ２について、縦横変換処理を行う必要があるか否かを判断する。縦横変換部２６は、縦横変換処理を行う必要があると判断した場合（Ｓ１０；Ｙｅｓ）、基本長針画像Ｂｂ２について縦横変換処理を行う（Ｓ１１）。縦横変換処理の実行回数が規定回数に達していない場合（Ｓ１２；Ｎｏ）、縦横変換部２６は、縦横変換処理を再度行う（Ｓ１１）。縦横変換処理の実行回数が規定回数に達した場合（Ｓ１２；Ｙｅｓ）、ステップ１３に進む。一方、縦横変換部２６は、縦横変換処理を行う必要がないと判断した場合（Ｓ１０；Ｎｏ）、ステップ１３に進む。このように、縦横変換部２６が、基本長針画像Ｂｂ２に対して、必要に応じて縦横変換処理を実行することにより、取得時刻を表示する長針画像Ｂ２が得られる。
【００５３】
ステップ１３では、画像合成部２７が、取得時刻を表示する短針画像Ｂ１と、取得時刻を表示する長針画像Ｂ２とをＯＲ合成（論理和の算出）し、合成針画像Ｂｃを作成する。続いて、画像合成部２７は、選択されたフェイス画像Ｃの針位置が「下型」であるか否かを判断する（Ｓ１４）。画像合成部２７は、選択されたフェイス画像Ｃの針位置が「下型」であると判断した場合（Ｓ１４；Ｙｅｓ）、合成針画像Ｂｃについてシフト処理を行う（Ｓ１５）。このシフト処理では、縦横変換部２６は、合成針画像Ｂｃを、所定距離分（例えば９ドット分）、下方にシフトさせる。画像合成部２７がシフト処理を行った後、ステップ１６に進む。一方、画像合成部２７が、選択されたフェイス画像Ｃの針位置が「下型」ではないと判断した場合（Ｓ１４；Ｎｏ）、ステップ１６に進む。
【００５４】
ステップ１６では、画像合成部２７が、選択されたフェイス画像Ｃの針色が「無表示型」であるか否かを判断する。画像合成部２７は、選択されたフェイス画像Ｃの針色が「無表示型」であると判断した場合（Ｓ１６；Ｙｅｓ）、合成針画像Ｂｃの表示ドットと無表示ドットとを反転する（Ｓ１７）。これにより、合成針画像Ｂｃにおいて針が無表示ドットで表されることになる。続いて、画像合成部２７は、表示ドットと無表示ドットとが反転された合成針画像Ｂｃと、フェイス画像ＣとをＡＮＤ合成（論理積の算出）する（Ｓ１８）。これにより、アナログ式時計画像Ａにおいて、針の回転範囲Ｆが表示ドットで表され、針が無表示ドットで表される。つまり、テープＴにおいては、テープＴが感熱発色した色で針の回転範囲Ｆが表され、テープＴの地の色で針が表される。画像合成部２７がＡＮＤ合成を行った後、ステップ２０に進む。
【００５５】
一方、画像合成部２７は、選択されたフェイス画像Ｃの針色が「無表示型」ではないと判断した場合（Ｓ１６；Ｎｏ）、合成針画像Ｂｃと、フェイス画像ＣとをＯＲ合成する（Ｓ１９）。これにより、アナログ式時計画像Ａにおいて、針の回転範囲Ｆが無表示ドットで表され、針が表示ドットで表される。つまり、テープＴにおいては、テープＴの地の色で針の回転範囲Ｆが表され、テープＴが感熱発色した色で針が表される。画像合成部２７がＯＲ合成を行った後、ステップ２０に進む。
【００５６】
ステップ２０では、テープ印刷装置１は、作成されたアナログ式時計画像Ａに基づいて印刷処理を行う。これにより、テープＴにアナログ式時計画像Ａが印刷される。印刷処理の後、テープ印刷装置１は、一連の処理を終了する。
【００５７】
図９および図１０を参照しつつ、図１１および図１２を用いて、テープ印刷装置１が時計画像印刷メニューにおいて行う一連の処理について、より具体的に説明する。ここでは、３時０分を表示する短針画像Ｂ１および長針画像Ｂ２と、Ｎｏ．７のフェイス画像Ｃとから構成されるアナログ式時計画像Ａを作成する場合を例に挙げて説明する。
【００５８】
図１１（ａ）に示すように、テープ印刷装置１は、時計画像印刷メニューを開始すると、まず、フェイス画像選択画面Ｇをディスプレイ９に表示する（Ｓ１）。ここでは、図１１（ｂ）に示すように、ユーザーは、Ｎｏ．７のフェイス画像Ｃを選択する。フェイス画像Ｃが選択されると（Ｓ２；Ｙｅｓ）、テープ印刷装置１は、図１１（ｃ）に示すように、時刻入力画面Ｈをディスプレイ９に表示する（Ｓ３）。このとき、時刻入力画面Ｈには、直近設定値、つまり前回入力された時刻が表示される（デフォルトは００：００である）。図１１（ｄ）および（ｅ）に示すように、ユーザーは、短針画像Ｂ１および長針画像Ｂ２に表示させる時刻として、３時０分を入力する。時刻が入力されると（Ｓ４；Ｙｅｓ）、テープ印刷装置１は、図１１（ｆ）に示すように、印刷枚数を選択するための画面をディスプレイ９に表示する。印刷枚数が選択されると、テープ印刷装置１は、図１１（ｇ）に示すように、ディスプレイ９に「準備中」との表示をすると共に、アナログ式時計画像Ａの作成処理を開始する。
【００５９】
アナログ式時計画像Ａの作成処理では、まず、図１２（ａ）に示すように、画像読出部２５が、選択されたＮｏ．７のフェイス画像Ｃをフェイス画像記憶部２２読み出す（Ｓ５）。さらに、画像読出部２５は、針角度が０度で直線である基本短針画像Ｂｂ１と、針角度が０度で直線である基本長針画像Ｂｂ２とを針画像記憶部２１から読み出す（Ｓ６）。すなわち、取得時刻が３時０分であるため、上記の（１）式より、ｐ＝０であるから、画像読出部２５は、針角度が０度である基本短針画像Ｂｂ１を読み出す。また、上記の（２）式より、ｑ＝０であるから、画像読出部２５は、針角度が０度である基本長針画像Ｂｂ２を読み出す。
【００６０】
続いて、縦横変換部２６は、取得時刻が３時０分であるため、基本短針画像Ｂｂ１について縦横変換処理が必要であると判断する（Ｓ７；Ｙｅｓ）。縦横変換部２６は、図１２（ｂ）に示すように、縦横変換処理（Ｓ８）を３回行って、針角度が０度である基本短針画像Ｂｂ１を反時計回りに２７０度回転させ、３時０分を意味する短針画像Ｂ１を作成する。続いて、縦横変換部２６は、取得時刻の分が０分であるため、基本長針画像Ｂｂ２について縦横変換処理が必要ではないと判断する（Ｓ１０；Ｎｏ）。そのため、針角度が０度である基本長針画像Ｂｂ２が、そのまま、０分を意味する長針画像Ｂ２となる。
【００６１】
続いて、画像合成部２７は、図１２（ｃ）に示すように、短針画像Ｂ１と、長針画像Ｂ２とをＯＲ合成し、合成針画像Ｂｃを作成する（Ｓ１３）。続いて、画像合成部２７は、選択されたフェイス画像ＣがＮｏ．７であるため、フェイス画像Ｃの針位置が「下型」であると判断する（Ｓ１４；Ｙｅｓ）。画像合成部２７は、図１２（ｄ）に示すように、合成針画像Ｂｃを下方向に、所定距離分、シフトする（Ｓ１５）。続いて、画像合成部２７は、選択されたフェイス画像ＣがＮｏ．７であるため、フェイス画像Ｃの針色が「無表示型」ではないと判断する（Ｓ１６；Ｎｏ）。画像合成部２７は、図１２（ｅ）に示すように、シフトされた合成針画像Ｂｃと、フェイス画像ＣとをＯＲ合成し、アナログ式時計画像Ａを作成する（Ｓ１９）。
【００６２】
アナログ式時計画像Ａの作成処理が完了すると、テープ印刷装置１は、図１１（ｈ）に示すように、ディスプレイ９に「印刷中」との表示をすると共に、印刷処理を実行し、作成したアナログ式時計画像ＡをテープＴに印刷する。
【００６３】
以上のように、本実施形態のテープ印刷装置１は、角度が異なる６０種の長針画像Ｂ２のうちの一部である１５種の基本長針画像Ｂｂ２のみ針画像記憶部２１に記憶している。そして、テープ印刷装置１は、キャラクター画像Ｄの縦方向Ｅを横書き向きと縦書き向きとで切り替えるための縦横変換部２６を利用して基本長針画像Ｂｂ２を回転させることにより、基本長針画像Ｂｂ２とは異なる角度の長針画像Ｂ２を作成することができる。短針画像Ｂ１についても同様である。したがって、テープ印刷装置１は、短針画像Ｂ１および長針画像Ｂ２の回転処理のための専用の画像処理部を備えることなく、針画像記憶部２１の記憶容量を節約することができる。
【００６４】
本実施形態のテープ印刷装置１は、１０種のフェイス画像Ｃのなかから選択されたフェイス画像Ｃと、短針画像Ｂ１および長針画像Ｂ２とを組み合わせたアナログ式時計画像ＡをテープＴに印刷することができる。
【００６５】
本実施形態のテープ印刷装置１は、針が表示ドットで表された基本針画像Ｂｂと、針が無表示ドットで表された基本針画像Ｂｂとのうち、針が表示ドットで表された基本針画像Ｂｂのみを針画像記憶部２１に記憶している。そして、テープ印刷装置１は、選択されたフェイス画像Ｃにおける針の回転範囲Ｆが、表示ドットで表されているか無表示ドットで表されているかに応じて、針が無表示ドットで表されたアナログ式時計画像Ａと、針が表示ドットで表されたアナログ式時計画像Ａとを印刷することができる。したがって、テープ印刷装置１は、針画像記憶部２１の記憶容量を節約しつつ、針の色と針の回転範囲Ｆの色との組合せのバリエーションを増やすことができる。
【００６６】
本実施形態のテープ印刷装置１は、針の回転中心が中央に設けられた基本針画像Ｂｂのみを針画像記憶部２１に記憶している。そして、テープ印刷装置１は、選択されたフェイス画像Ｃにおける針の回転範囲Ｆが、中央にあるか下方にシフトされた位置にあるかに応じて、針の回転中心が中央に設けられたアナログ式時計画像Ａと、針の回転中心が中央からシフトされた位置に設けられたアナログ式時計画像Ａとを印刷することができる。したがって、テープ印刷装置１は、針画像記憶部２１の記憶容量を節約しつつ、針の回転中心および針の回転範囲Ｆの位置のバリエーションを増やすことができる。
【００６７】
本実施形態のテープ印刷装置１は、ユーザーの行動予定と、その行動予定の時刻との双方を意味するアナログ式時計画像Ａを印刷することができる。これにより、ユーザーは、アナログ式時計画像Ａを見るだけで、自分の行動予定と、その行動予定の時刻との双方を認識することができる。例えば、ユーザーは、図１２に示したアナログ式時計画像Ａを見るだけで、３時０分からティータイムの予定であることを認識することができる。
【００６８】
なお、本発明は上記した実施形態に限定されず、その趣旨を逸脱しない範囲で種々の構成を採用可能であることは言うまでもない。例えば、本実施形態は、以下のような形態に変更することができる。
【００６９】
縦横変換部２６は、キャラクター画像Ｄを時計回りに９０度回転させることにより、縦横変換処理を行ってもよい。例えば、縦横変換部２６は、キャラクター画像Ｄを反時計回りに９０度回転させる縦横変換処理を１回行う代わりに、キャラクター画像Ｄを時計回りに９０度回転させる縦横変換処理を３回行ってもよい。
【００７０】
針画像記憶部２１が記憶している基本針画像Ｂｂの針角度の範囲は任意であり、針画像記憶部２１は、例えば、針角度が９０度〜１７６度の基本針画像Ｂｂを記憶していてもよい。また、針角度の範囲が連続している必要はなく、針画像記憶部２１は、例えば、針角度が０度〜３０度の基本針画像Ｂｂと、針角度が１２６度〜１７６度の基本針画像Ｂｂとを記憶してもよい。
【００７１】
針画像記憶部２１が記憶している基本針画像Ｂｂの針角度の間隔は任意であり、針画像記憶部２１は、例えば、針角度が３度ずつ異なる３０種の基本針画像Ｂｂを記憶していてもよく、針角度が１８度ずつ異なる５種の基本針画像Ｂｂを記憶していてもよい。
【００７２】
針画像記憶部２１は、針が表示ドットで表された基本針画像Ｂｂと、針が無表示ドットで表された基本針画像Ｂｂとのうち、針が白色ドットで表された基本針画像Ｂｂのみを針画像記憶部２１に記憶していてもよい。この場合、例えば、選択されたフェイス画像Ｃの針の回転範囲Ｆが表示ドットで表されている場合には、合成針画像Ｂｃと、フェイス画像ＣとをＡＮＤ合成する。これにより、アナログ式時計画像Ａにおいて、針の回転範囲Ｆが表示ドットで表され、針が無表示ドットで表される。一方、選択されたフェイス画像Ｃの針の回転範囲Ｆが無表示ドットで表されている場合には、表示ドットと無表示ドットとが反転された合成針画像Ｂｃと、フェイス画像ＣとをＯＲ合成する。これにより、アナログ式時計画像Ａにおいて、針の回転範囲Ｆが無表示ドットで表され、針が表示ドットで表される。
【００７３】
針画像記憶部２１は、針の回転中心が中央以外の所定位置に設けられた基本針画像Ｂｂを記憶していてもよい。また、フェイス画像記憶部２２は、針の回転範囲Ｆが、所定位置から下方にシフトしたフェイス画像Ｃに限らず、例えば、所定位置から上方にシフトしたフェイス画像Ｃや、所定位置から左方にシフトしたフェイス画像Ｃを記憶していてもよい。
【００７４】
時刻取得部２３は、時刻入力画面Ｈにおいて、短針画像Ｂ１および長針画像Ｂ２に表示させる時刻を、２４時間表示で入力させてもよい。この場合、例えば、Ｎｏ．１のフェイス画像Ｃの時計数字「３、６、９、１２」を「１５、１８、２１、２４」に代えたフェイス画像Ｃ（Ｎｏ．１１とする）をフェイス画像記憶部２２に記憶しておき、フェイス画像選択部２４が、ユーザーの入力した時刻に応じて、Ｎｏ．１のフェイス画像ＣおよびＮｏ．１１のフェイス画像Ｃのいずれかを選択するようにすることが好ましい。これにより、午前か午後かが分かるアナログ式時計画像Ａを作成することができる。
【００７５】
時刻取得部２３は、短針画像Ｂ１および長針画像Ｂ２に表示させる時刻を、テープ印刷装置１に内蔵されたタイマーから取得してもよく、通信可能に接続された外部機器から取得してもよく、標準電波を受信することで取得してもよい。
【００７６】
テープ印刷装置１は、短針画像Ｂ１および長針画像Ｂ２のいずれか一方のみを有するアナログ式時計画像Ａを印刷してもよい。また、テープ印刷装置１は、フェイス画像Ｃのないアナログ式時計画像Ａを印刷してもよく、逆に、他の画像を含むアナログ式時計画像Ａを印刷してもよい。
【符号の説明】
【００７７】
１    ：テープ印刷装置
２１  ：針画像記憶部
２３  ：時刻取得部
２６  ：縦横変換部
Ａ    ：アナログ式時計画像
Ｂ    ：針画像
Ｂｂ  ：基本針画像
Ｅ    ：縦方向
Ｔ    ：テープ
【図１】
0006335711.tif 000002
【図２】
0006335711.tif 000003
【図３】
0006335711.tif 000004
【図４】
0006335711.tif 000005
【図５】
0006335711.tif 000006
【図６】
0006335711.tif 000007
【図７】
0006335711.tif 000008
【図８】
0006335711.tif 000009
【図９】
0006335711.tif 000010
【図１０】
0006335711.tif 000011
【図１１】
0006335711.tif 000012
【図１２】
0006335711.tif 000013